(57)【要約】【課題】シンプルな構造でペットの遊具としても使用することができる収納家具およびそれを備えた住宅を提供すること。【解決手段】収納家具（２）は、上下方向に複数段設けられた引き出し（４）と、引き出し（４）を支持する枠体（３）とを備え、引き出し（４）は、上部に収納物を出し入れするための開口を有する箱本体（４１）と、箱本体（４１）に取り付けられ、開口を覆う開閉可能な天板（４２）とを含む。【選択図】図２
2017086548.tif 000002
【特許請求の範囲】
【請求項１】
上下方向に複数段設けられた引き出しと、前記引き出しを支持する枠体とを備え、
前記引き出しは、
上部に収納物を出し入れするための開口を有する箱本体と、
前記箱本体に取り付けられ、前記開口を覆う開閉可能な天板とを含む、収納家具。
【請求項２】
前記天板は、前記箱本体に対し、上下方向に回動可能に取付けられている、請求項１に記載の収納家具。
【請求項３】
前記枠体には、複数段の前記引き出しが複数列設けられる、請求項１または２に記載の収納家具。
【請求項４】
請求項１〜３のいずれかに記載の収納家具を壁面に沿って設けた居室を備え、
前記居室には、前記収納家具の上端部と前記居室の天井との間の高さ範囲において、前記壁面から突出し、前記壁面の幅方向に沿って延在する突出板部が設けられている、住宅。
【請求項５】
前記突出板部の上面には、間接照明が設けられる、請求項４に記載の住宅。
【発明の詳細な説明】
【技術分野】
【０００１】
この発明は、収納家具および住宅に関し、より詳しくは、ペットが運動する遊具としての機能を兼ね備えた収納家具およびそれを備えた住宅に関する。
【背景技術】
【０００２】
近年、ペットを屋内で飼育する家庭が増加しており、ペットの運動不足解消のための遊具が数多く市販されている。たとえば、猫科の動物は、木に登るなど高いところを好む習性があり、猫などのペットが上がり下がりできる遊具（キャットタワー）が知られている。
【０００３】
特開２０１１−１５６０５６号公報（特許文献１）には、ペット用遊具の機能を兼ね備えた収納家具が開示されている。このような収納家具は、棚板の直下に設けられるボックスを水平方向に回動して引き出すことで、ボックス上を足場として猫などのペットが上がり下がりできるように構成されている。
【先行技術文献】
【特許文献】
【０００４】
【特許文献１】特開２０１１−１５６０５６号公報
【発明の概要】
【発明が解決しようとする課題】
【０００５】
特許文献１の収納家具は、回動自在なボックスと収納部の側板との間には、ボックスを水平方向に回動させて引き出す場合に必要なスペースが設けられ、そのスペースは、何も収納することができないデッドスペースとなる。さらに、ボックス自体が回動可能に設けられるため、構造が複雑である。
【０００６】
本発明は、上記のような課題を解決するためになされたものであって、その目的は、シンプルな構造でペットの遊具としての機能を兼ね備えた収納家具およびそれを備えた住宅を提供することである。
【課題を解決するための手段】
【０００７】
この目的のため、本発明の一態様に係る収納家具は、上下方向に複数段設けられた引き出しと、引き出しを支持する枠体とを備え、引き出しは、上部に収納物を出し入れするための開口を有する箱本体と、箱本体に取り付けられ、開口を覆う開閉可能な天板とを含む。
【０００８】
好ましくは、天板は、箱本体に対し、上下方向に回動可能に取付けられている。
【０００９】
好ましくは、枠体には、複数段の前記引き出しが複数列設けられる。
【００１０】
本発明の一態様に係る住宅は、収納家具を壁面に沿って設けた居室を備え、居室には、収納家具の上端部と居室の天井との間の高さ範囲において、壁面から突出し、壁面の幅方向に沿って延在する突出板部が設けられている。
【００１１】
好ましくは、突出板部の上面には、間接照明が設けられる。
【発明の効果】
【００１２】
本発明によれば、シンプルな構造でペットの遊具としての機能を兼ね備えた収納家具およびそれを備えた住宅を提供することができる。
【図面の簡単な説明】
【００１３】
【図１】本発明の実施の形態において、住宅の居室に収納家具が設置された状態を模式的に示す正面図である。
【図２】図１のＩＩ−ＩＩ線に沿う収納家具の断面図である。
【図３】図２のＩＩＩ−ＩＩＩ線に沿う引き出しを示す断面図である。
【図４】本発明の実施の形態に係る収納家具が遊具となることを概念的に示す図である。
【図５】本発明の実施の形態に係る収納家具の変形例を示す模式図である。
【発明を実施するための形態】
【００１４】
本発明の実施の形態について図面を参照しながら詳細に説明する。なお、図中同一または相当部分には同一符号を付してその説明は繰り返さない。
【００１５】
図１を参照して、本実施の形態に係る住宅１について説明する。本実施の形態に係る住宅１は、一戸建て住宅であってもよいし、マンションやアパートなどの集合住宅であってもよい。
【００１６】
住宅１は、居室１０を有し、居室１０は、たとえば、ダイニング、リビングまたは個室である。居室１０は、複数の壁面１１により囲まれており、ある一つの壁面１１に沿って収納家具２が設けられている。
【００１７】
図２をさらに参照して、収納家具２について説明する。以下の説明において、図１の矢印Ａ１で示す収納家具２の高さ方向を上下方向とする。図１の矢印Ａ２で示す収納家具２の横幅方向を左右方向とし、右側を一方端、左側を他方端とする。図２の矢印Ａ３で示す収納家具２の奥行き方向を前後方向とする。
【００１８】
図１，２に示されるように、収納家具２は、上下方向に複数段設けられた引き出し４と、引き出し４を支持する枠体３とを備える。
【００１９】
枠体３は、たとえば、前面が開放している箱形状であり、互いに対向する２つの側面３１と、上面３２と、底面３３と、背面３４とを備える。枠体３は、上面３２と底面３３の間に上下方向に延在する仕切り板３７により仕切られることにより、引き出し４が２列設けられる。枠体３内には、引き出し４だけが設けられているのではなく、スライド部材５が設けられていたり、開放空間６が設けられていてもよい。なお、背面３４は、居室１０の壁面１１と一体的に形成されていてもよい。
【００２０】
収納家具２の枠体３の大きさは、たとえば、高さ１７００〜２０００ｍｍ、横幅４００〜１２０ｍｍ、奥行き３００〜７００ｍｍである。２つの側面３１の間には、左右方向に延在する２つの棚板３５，３６が設けられる。棚板３６の下方には、各列において、引き出し４が複数段、具体的には６段設けられる。
【００２１】
図３は、図２のＩＩＩ−ＩＩＩ線に沿う引き出しを示す断面図である。図３を参照して、引き出し４について説明する。
【００２２】
引き出し４は、上部に収納物を出し入れするための開口４３を有する箱本体４１と、箱本体４１に取り付けられ、開口４３を覆う開閉可能な天板４２とを含む。引き出し４内には、衣類や小物などの収納物を収納することができる。箱本体４１は、底板４４と、底板４４の外周縁から立設された前板４５（図２）、右側板４６、左側板４７および背板４８とで構成されている。前板４５は、板４６，４７，４８よりも高さが高い。さらに、箱本体４１の開口４３は、箱本体４１の上面全体に形成されている。側板４６，４７には、たとえば、奥行き方向に沿って、両端縁まで延びるレール（図示せず）が設けられる。また、枠体３の側面３１と仕切り板３７には、奥行き方向に沿って、両端縁にまで延びるスライドレール（図示せず）が設けられている。引き出し４のレールと枠体３のスライドレールとが嵌合することにより、引き出し４は、前後方向にスライド可能となる。
【００２３】
天板４２は、箱本体４１に対し、上下方向に回動可能に取り付けられている。具体的に天板４２は、天板４２の端部と右側板４６の上方端部を連結するヒンジ４９を介して、上下方向に回動可能に取り付けられている。これにより、天板４２は、収納家具２の正面から見て他方端から一方端に、つまり左側から右側に向かって開く。また、天板４２は、それらの板４６，４７，４８の上端に掛け渡される大きさであり、箱本体４１の開口４３を隙間なく覆う。つまり、天板４２は、箱本体４１の蓋として用いられる。
【００２４】
天板４２が左側から右側に向かって開くため、猫の毛が天板４２上に落ちた場合であっても、天板４２の開閉時に、天板４２と右側板４６の間から猫の毛が入り込むおそれがない。なお、天板４２を後側から前側に向かって開くように取り付けた場合は、前板４５の高さが高いため、天板４２と前板４５の間から猫の毛が入り込むおそれがある。
【００２５】
引き出し４は、たとえば、高さが１５０〜２００ｍｍ、横幅３００〜５００ｍｍ、奥行き４００〜６００ｍｍである。引き出し４の高さは、すべて同一となっているが、異なっていてもよい。この場合、引き出しの高さは、猫が容易に飛び移ることができる高さであることが望ましい。
【００２６】
図２を参照して、引き出し４は、枠体３内に収納される収納状態と、枠体３から前方向に引き出される引き出し状態とに変位させることができる。この場合、引き出し４を引き出し状態にすると、天板４２は、箱本体４１と同時に引き出される。したがって、収納物の出し入れを行う際には、引き出し４を引き出し状態にし、天板４２を上方に回動させて箱本体４１を開放する。この場合、引き出し４を枠体３から最大限引き出す必要がある。収納物の出し入れが完了したら、天板４２を下方に回動させて、箱本体４１を閉鎖させた後、引き出し４を収納状態にする。
【００２７】
収納家具２は、引き出し４を引き出し状態にすることで、引き出し４の天板４２を猫の足場とすることができる。引き出し４を猫の足場として使用する場合であっても、引き出し４を引き出し状態とするだけでよく、特別な変位を必要としないため、利便性がよい。また、箱本体４１の開口４３は、天板４２で蓋することができるため、箱本体４１内の収納物の上に猫の毛が落ちたり、猫の臭いが収納物に移ることがない。したがって、収納家具２の引き出し４は、箱本体４１と天板４２とで形成されるため、シンプルな構造でペットの遊具としての機能を兼ね備える。さらに、前板４５の高さが高いため、天板４２を閉鎖させると、正面から天板４２が見えず、外観上は普通の収納家具であるかのように見える。
【００２８】
スライド部材５は、各列において、上面３２の下方と棚板３６の下方にそれぞれ設けられている。スライド部材５は、物を収納することはできない台であるが、物を収納することができる引き出しであってもよい。スライド部材５の側方には、奥行き方向に沿って、両端縁まで延びるレール（図示せず）が設けられる。枠体３の側面３１と仕切り板３７には、奥行き方向に沿って、両端縁にまで延びるスライドレール（図示せず）が設けられている。スライド部材５のレールと枠体３のスライドレールとが嵌合することにより、引き出し４は、前後方向にスライド可能となる。
【００２９】
スライド部材５は、具体的には、枠体３内に収納される収納状態と、枠体３から水平方向に引き出される引き出し状態に変位させることができる。スライド部材５を引き出し状態にすることで、スライド部材５は、猫の足場として機能する。
【００３０】
開放空間６は、各列において、スライド部材５の下方にそれぞれ設けられる。開放空間６は、前方が開放しており、上方がスライド部材５、下方が棚板３５，３６、側方が側面３１または仕切り板３７、後方が背面３４により囲われている。開放空間６には、置物などを載置することができる。
【００３１】
図４は、本発明の実施の形態に係る収納家具が遊具となることを概念的に示す図である。図４のハッチで示すように、引き出し４およびスライド部材５の左右の列を交互に引き出し状態とすることで、引き出し４の天板４２は、猫などの足場として機能する。
【００３２】
図１を参照して、居室１０には、収納家具２の上端部と居室１０の天井１４との間の高さ範囲において、壁面１１から突出し、壁面１１の幅方向に沿って延在する突出板部１２が設けられている。突出板部１２は、高所にある猫の通り道であり、キャットウォークともいう。
【００３３】
突出板部（キャットウォーク）１２は、たとえば、居室１０の床から１８００〜２１００ｍｍの高さに設けられている。収納家具２を突出板部１２の下に配置する。猫は、引き出し状態の引き出し４を足場にして、壁面１１に設けられる突出板部１２上に飛び移ることが可能である。なお、突出板部１２は、複数の壁面１１に掛け渡されるように設けられていてもよい。
【００３４】
突出板部１２の上方には、間接照明１３が設けられている。猫は夜行性であり、夜の方が活動的である。このため、夜に間接照明１３をつけて、猫が突出板部１２の上方を歩くことで、猫のシルエットがきれいに現れ、居住者は、視覚的にも楽しむことができる。
【００３５】
上記実施の形態において、収納家具２は、住宅１の居室１０内に設けられるとして説明したが、収納家具２単体として提供してもよい。以下、収納家具２の変形例を説明する。
【００３６】
図５は、本発明の実施の形態に係る収納家具の変形例を示す模式図であり、図５（Ａ）は正面図であり、図５（Ｂ）は図５（Ａ）のＶＢ−ＶＢ線から見た断面図である。上記実施形態に係る収納家具２Ａは、複数段の引き出し４が２列設けられたが、図５に示す収納家具２Ａは、複数段の引き出し４Ａが１列設けられている。
【００３７】
図５を参照して、収納家具２Ａは、上下方向に４段設けられた引き出し４Ａと、引き出し４Ａを支持する枠体３Ａとを備える。複数段の引き出し４Ａが１列しか設けられてない場合、引き出し４Ａを猫の足場として機能させるには、図５（Ｂ）に示すように、最下段の引き出し４Ａの引き出し長さを長く、上方にいくについれ、徐々に引き出し４Ａの引き出し長さを短くする。これにより、収納家具２Ａの引き出し４Ａは、階段状となり、前後方向の段差ができる。
【００３８】
なお、上記実施の形態において、引き出し４，４Ａの天板４２は、上下方向に回動可能に設けられるとして説明した。しかし、天板４２は、右側板４６および左側板４７の左右方向に沿って設けられる溝に収納され、天板４２を左右方向にスライドさせることにより、開閉可能としてもよい。
【００３９】
また、上記実施の形態において、引き出し４だけでなくスライド部材５および開放空間６も枠体３内に設けられている収納家具２について説明したが、枠体３内には、少なくとも引き出し４だけが上下方向に複数段設けられていればよい。
【００４０】
また、上記実施の形態において、引き出し４は２列設けられ、引き出し４Ａは１列設けられるとして説明したが、限定的ではなく、引き出し４は３列以上設けられてもよい。
【００４１】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００４２】
１  住宅、２  収納家具、３  枠体、４  引き出し、５  スライド部材、６  開放空間、１０居室、１１  壁面、１２  突出板部、１３  間接照明、１４  天井、３１  側面、３２  上面、３３  底面、３４  背面、３５，３６  棚板、３７  仕切り板、４１  箱本体、４２  天板、４３  開口、４４  底板、４５  前板、４６  右側板、４７  左側板、４８  背板、４９  ヒンジ。
【図１】
2017086548.tif 000003
【図２】
2017086548.tif 000004
【図３】
2017086548.tif 000005
【図４】
2017086548.tif 000006
【図５】
2017086548.tif 000007